(57)【要約】【課題】廃棄物等が多量に溜まったとしてもその取出作業が容易である廃棄物等収集什器を実現する。【解決手段】廃棄物等を内部に収容し得る筐体１と、筐体１内に廃棄物等を投入するための投入口２２と、筐体１内に配置して投入口２２から投入された廃棄物等を受ける中容器６２と、投入口２２から筐体１内に投入された廃棄物等及び中容器２２を取り出すための取出口３とを具備する廃棄物等収集什器において、取出口３の上縁Ｈを投入口２２の下縁Ｌよりも高い位置に設定した。  【選択図】図５
2008110851.tif 000002
【特許請求の範囲】
【請求項１】
廃棄物等を内部に収容し得る筐体と、
前記筐体内に廃棄物等を投入するための投入口と、
前記筐体内に配置して前記投入口から筐体内に投入された廃棄物等を受ける中容器と、
前記投入口から前記筐体内に投入された廃棄物等及び前記中容器を取り出すための取出口とを具備し、
前記取出口の上縁を前記投入口の下縁よりも高い位置に設定して、取出口の全高を前記筐体内に配置した中容器の底部から投入口の下縁までの距離よりも大きくしたことを特徴とする廃棄物等収集什器。
【請求項２】
前記筐体の正面側に開口する投入口を設け、
前記筐体の背面側に開口する取出口を設けている請求項１記載の廃棄物等収集什器。
【請求項３】
前記取出口を前記筐体の略全幅に亘る大きさに形成して、この取出口を開閉する観音開きの扉を取り付けている請求項２記載の廃棄物等収集什器。
【請求項４】
前記筐体の正面側に前方に向けて開口する複数の投入口を設け、
前記複数の投入口の各々から投入される廃棄物等が互いに混交することを阻むための仕切板を前記筐体の正面板の裏面に密接または近接させて設立している請求項１、２または３記載の廃棄物等収集什器。
【請求項５】
前記筐体の天板の側縁及び後縁に沿って周壁を設けている請求項１、２、３または４記載の廃棄物等収集什器。
【請求項６】
前記筐体にキャスターを取り付けている請求項１、２、３、４または５記載の廃棄物等収集什器。
【発明の詳細な説明】
【技術分野】
【０００１】
本発明は、廃棄物や不要物等（リサイクルまたはリユース可能な物を含む）を収集するための什器に関する。
【背景技術】
【０００２】
公共的な空間に設置される比較的大形のゴミ箱は、下記特許文献にも示されているように、廃棄物の投入口が上部に設けられ、廃棄物の取出口が下部に設けられている。
【特許文献１】実用新案登録第３１００７８８号公報
【発明の開示】
【発明が解決しようとする課題】
【０００３】
従前のゴミ箱では、廃棄物が多量に溜まったとき、特に廃棄物が投入口の高さに達する程に溜まったときに、廃棄物が取り出しにくくなるという欠点があった。
【０００４】
本発明は、上記の問題に初めて着目してなされたものであって、廃棄物や不要物等が多量に溜まったとしてもその取出作業が容易であるような廃棄物等収集什器を提供せんとするものである。
【課題を解決するための手段】
【０００５】
上述した課題を解決するべく、本発明では、廃棄物等を内部に収容し得る筐体と、前記筐体内に廃棄物等を投入するための投入口と、前記筐体内に配置して前記投入口から筐体内に投入された廃棄物等を受ける中容器と、前記投入口から前記筐体内に投入された廃棄物等及び前記中容器を取り出すための取出口とを具備し、前記取出口の上縁を前記投入口の下縁よりも高い位置に設定して、取出口の全高を前記筐体内に配置した中容器の底部から投入口の下縁までの距離よりも大きくした廃棄物等収集什器を構成した。このようなものであれば、廃棄物等が投入口の高さに達する程に溜まったとしても、その取出作業を円滑に遂行し得る。
【０００６】
無理なく大きな取出口を形成するには、前記筐体の正面側に開口する投入口を設け、前記筐体の背面側に開口する取出口を設けることが好ましい。
【０００７】
前記取出口を前記筐体の略全幅に亘る大きさに形成して、この取出口を開閉する観音開きの扉を取り付けているならば、取出口を幅方向に大きく開口させることができ、かつ扉の幅寸法を取出口の開口幅の半分程度の寸法として、扉の開閉操作時に扉が周囲の物に干渉しないようにすることができる。
【０００８】
前記筐体の正面側に前方に向けて開口する複数の投入口を設け、前記複数の投入口の各々から投入される廃棄物等が互いに混交することを阻むための仕切板を前記筐体の正面板の裏面に密接または近接させて設立すれば、仕切板を投入口に近づけて配置でき、各投入口から投下される廃棄物を適切に仕分けできる。
【０００９】
前記筐体の天板の側縁及び後縁に沿って周壁を設けてあれば、天板上に物品を載置したり、廃棄物等を投入する際に作業台として利用したりできる。
【００１０】
前記筐体にキャスターを取り付けていれば、移動や運搬が簡単になる。
【発明の効果】
【００１１】
本発明によれば、廃棄物や不要物等が多量に溜まったとしてもその取出作業が容易である廃棄物等収集什器を実現できる。
【発明を実施するための最良の形態】
【００１２】
以下、本発明の一実施形態を、図面を参照して説明する。図１ないし図５に示す本実施形態の廃棄物等収集什器は、内部に廃棄物等を収容可能な筐体１と、筐体１内に廃棄物等を投入するための投入口２１、２２、２３、２４と、筐体１内に投入された廃棄物等を取り出すための取出口３とを具備する。
【００１３】
詳述すると、筐体１は概略方形箱形をなし、図１及び図２に示すように、その正面側に複数の投入口２１、２２、２３、２４を幅方向に配列して設けてある。主に固体物を投入する用途に供される投入口２１、２２、２３は、筐体１の正面板１１と天板１７とが交差する隅角部に後傾姿勢で配設した傾斜板１５に穿つ。図示例では、投入口２１、２２、２３の周縁を略矩形状に成形している。飲み物の飲み残しのような液体物または液体物と固体物との混合物を投入する用途に供される投入口２４は、天板１７から所定距離下がった高さ位置に水平姿勢で配設した、正面板１１と略直交して後方に延出する水平板１６に穿つ。図示例では、投入口２１、２２、２３、２４の周縁を略円形状に成形している。投入口２４には、投入される液体物を散らさずに流下させるための漏斗７を装着している。
【００１４】
各投入口２１、２２、２３、２４は、各種の廃棄物等を種類に応じて分別収集するためにあり、各投入口２１、２２、２３、２４から投入された廃棄物等は、各投入口２１、２２、２３、２４に対応して筐体１内に配置した中容器６１、６２、６３、６４で受ける。中容器は、普遍的な箱６１、６２、６３や液体用タンク６４等である。無論、ゴミ袋（ポリ袋やビニル袋）等を中容器として配置して用いることもできる。
【００１５】
筐体１の天板１７は、左右両側方及び後方の三方を周壁１２、１３、１４で囲っている。図示例では、筐体１の左右の側面板１２、１３及び背面板１４を天板１７面よりも高い位置まで立ち上げて周壁としている。
【００１６】
しかして、本実施形態では、筐体１の背面側に開口する取出口３を設けており、その取出口３の上縁Ｈを投入口２１、２２、２３、２４の下縁Ｌ（さらには、上縁）よりも高い位置に設定している。具体的には、図３及び図４に示すように、背面視取出口３を筐体１の略全幅に亘る大きさに形成するとともに、この取出口３を開閉する観音開きの扉４１、４２を取り付けている。取出口３の上縁Ｈ、換言すれば扉４１、４２の上縁または背面板１４の下縁は、投入口２１、２２、２３の下縁Ｌよりも高い。また、投入口２４は投入口２１、２２、２３の下縁Ｌよりも低い位置で開口しており、取出口３の上縁Ｈはこの投入口２４（の下縁）よりも高い。結果として、取出口３の全高Ｘは、筐体１内に配置した中容器６１、６２、６３、６４の底部から投入口２１、２２、２３、２４の下縁Ｌまでの距離よりも大きくなっている。
【００１７】
また、図４及び図５に示すように、筐体１内において、正面板１１の裏面即ち後向面に密接または近接させて、複数枚の仕切板５１、５２、５３を設立している。仕切板５１、５２、５３は、中容器６１、６２、６３、６４を載置する底板１８近傍から立ち上がり、上端が投入口２１、２２、２３、２４付近の高さに達している。仕切板５１、５２、５３は、隣り合う投入口２１、２２、２３、２４間に位置して、投入口２１、２２、２３、２４の直下の空間を複数の領域に区切っている。中容器６１、６２、６３、６４は、その区切られた領域内に配置する。
【００１８】
加えて、筐体１にはキャスター８１、８２、８３、８４を取り付けており、筐体１、中容器６１、６２、６３、６４及び投入された廃棄物等の移動、運搬を容易たらしめている。
【００１９】
本実施形態によれば、廃棄物等を内部に収容し得る筐体１と、前記筐体１内に廃棄物等を投入するための投入口２１、２２、２３、２４と、前記投入口２１、２２、２３、２４から前記筐体１内に投入された廃棄物等を取り出すための取出口３とを具備する廃棄物等収集什器において、前記取出口３の上縁Ｈを前記投入口２１、２２、２３、２４の下縁Ｌよりも高い位置に設定して、取出口３の全高Ｘを筐体１内に配置した中容器６１、６２、６３、６４の底部から投入口２１、２２、２３、２４の下縁Ｌまでの距離よりも大きく拡げたため、廃棄物等が投入口２１、２２、２３、２４の高さに達する程に溜まったとしても、中容器６１、６２、６３、６４及び廃棄物等の取出作業を円滑に遂行し得る。
【００２０】
前記筐体１の正面側に開口する投入口２１、２２、２３、２４を設け、前記筐体１の背面側に開口する取出口３を設けているため、無理なく大きな取出口３を形成でき、中容器６１、６２、６３、６４の出し入れや廃棄物等の取り出しの利便性を増進し得る。
【００２１】
前記取出口３を前記筐体１の略全幅に亘る大きさに形成して、この取出口３を開閉する観音開きの扉４１、４２を取り付けているため、取出口３を幅方向に大きく開口させることができ、かつ扉４１、４２の幅寸法を取出口３の開口幅の半分程度の寸法として、扉４１、４２の開閉操作時に扉４１、４２が周囲の物に干渉しないようにすることができる。
【００２２】
前記筐体１の正面側に前方に向けて開口する複数の投入口２１、２２、２３、２４を設け、前記複数の投入口２１、２２、２３、２４の各々から投入される廃棄物等が互いに混交することを阻むための仕切板５１、５２、５３を前記筐体１の正面板１１の裏面に密接または近接させて設立しているため、仕切板５１、５２、５３を投入口２１、２２、２３、２４に近づけて配置でき、各投入口２１、２２、２３、２４から投下される廃棄物を適切に仕分けできる。これは、筐体１の正面板１１以外の部位に取出口３を設けているからこそ可能となっている。
【００２３】
前記筐体１の天板１７の側縁及び後縁に沿って周壁１２、１３、１４を設けてあるため、天板１７上に物品を載置したり、廃棄物等を投入する際に作業台として利用したりできる。
【００２４】
前記筐体１にキャスター８１、８２、８３、８４を取り付けているため、筐体１及び筐体１内の中容器６１、６２、６３、６４、廃棄物等の移動や運搬が簡単になる。
【００２５】
なお、本発明は以上に詳述した実施形態に限られるものではない。例えば、取出口を開閉する扉は、観音開きのものでなくとも構わない。また、筐体にキャスターを取り付けることは必須ではない。
【００２６】
そして、取出口は、必ず筐体の背面側に設けなければならないわけではない。図６に例示するように、筐体１の側面側に取出口９１及びこれを開閉する扉４３を設けることが可能である。これは、投入口２５、２６の数が多くない場合に有効である。取出口９１及び扉４３は、左右の一方に設けても、左右両方に設けてもよい。
【００２７】
あるいは、図７に例示するように、筐体１の前面側に取出口９２及び扉４４、４５を設けることも考えられる。この例では、開閉する扉に投入口２７、２８、２９、２０を設けている。
【００２８】
その他各部の具体的構成は上記実施形態に限られるものではなく、本発明の趣旨を逸脱しない範囲で種々変形が可能である。
【図面の簡単な説明】
【００２９】
【図１】本発明の一実施形態の廃棄物等収集什器を示す斜視図。
【図２】同廃棄物等収集什器の正面図。
【図３】同廃棄物等収集什器の背面図。
【図４】同廃棄物等収集什器の扉を開放した状態を示す背面図。
【図５】同廃棄物等収集什器の側断面図。
【図６】本発明の変形例の一を示す斜視図。
【図７】本発明の変形例の一を示す斜視図。
【符号の説明】
【００３０】
１…筐体
１１…正面板
１２、１３、１４…周壁（側面板、背面板）
１７…天板
２１、２２、２３、２４、２５、２６、２７、２８、２９、２０…投入口
Ｌ…投入口の下縁
３、９１、９２…取出口
Ｈ…取出口の上縁
Ｘ…取出口の全高
４１、４２、４３、４４、４５…扉
５１、５２、５３…仕切板
８１、８２、８３、８４…キャスター
【図１】
2008110851.tif 000003
【図２】
2008110851.tif 000004
【図３】
2008110851.tif 000005
【図４】
2008110851.tif 000006
【図５】
2008110851.tif 000007
【図６】
2008110851.tif 000008
【図７】
2008110851.tif 000009